(57)【特許請求の範囲】
【請求項１】
間隙を持って対向して配置された、少なくとも一方が透光性を有する一対の基板と、
前記一対の基板のうち一方の基板に配置された画素電極と、
前記一対の基板のうち他方の基板に、前記画素電極と間隙を持って対向して配置された共通電極であって、互いに独立して電圧が制御され、厚さ方向に間隙を持って配置された第１共通電極層及び第２共通電極層を含む２層以上の共通電極層を有し、前記第１共通電極層は前記画素電極の配置に応じた電極部及び非電極部を有し、前記第２共通電極層は前記第１共通電極層の全体と厚さ方向で重なる全面電極である、共通電極と、
前記画素電極と前記共通電極との間に配置され、少なくとも互いに色及び電荷が異なる第１粒子及び第２粒子を含み、これらの電極間に形成された電界に応じて粒子を移動させて表示を行う表示層と、を備え、
前記第１共通電極層は、前記第２共通電極層と前記画素電極との間に積層されてなり、前記第１共通電極層の前記非電極部が前記画素電極に対向して配置されている表示媒体。
【請求項２】
間隙を持って対向して配置された、少なくとも一方が透光性を有する一対の基板と、
前記一対の基板のうち一方の基板に配置された画素電極と、
前記一対の基板のうち他方の基板に、前記画素電極と間隙を持って対向して配置された共通電極であって、互いに独立して電圧が制御され、厚さ方向に間隙を持って配置された第１共通電極層及び第２共通電極層を含む２層以上の共通電極層を有し、前記第１共通電極層は前記画素電極の配置に応じた電極部及び非電極部を有し、前記第２共通電極層は前記第１共通電極層の少なくとも前記非電極部と厚さ方向で重なる電極部及び前記第１共通電極層の前記電極部と厚さ方向で重なる非電極部を有する、共通電極と、
前記画素電極と前記共通電極との間に配置され、少なくとも互いに色及び電荷が異なる第１粒子及び第２粒子を含み、これらの電極間に形成された電界に応じて粒子を移動させて表示を行う表示層と、を備え、
前記第１共通電極層は、前記第２共通電極層と前記画素電極との間に積層されてなり、前記第１共通電極層の前記電極部が前記画素電極に対向して配置されている表示媒体。
【請求項３】
間隙を持って対向して配置された、少なくとも一方が透光性を有する一対の基板と、
前記一対の基板のうち一方の基板に配置された画素電極と、
前記一対の基板のうち他方の基板に、前記画素電極と間隙を持って対向して配置された共通電極であって、互いに独立して電圧が制御され、厚さ方向に間隙を持って配置された第１共通電極層及び第２共通電極層を含む２層以上の共通電極層を有し、前記第１共通電極層は前記画素電極の配置に応じた電極部及び非電極部を有し、前記第２共通電極層は前記第１共通電極層の少なくとも前記非電極部と厚さ方向で重なる電極部を有する、共通電極と、
前記画素電極と前記共通電極との間に配置され、これらの電極間に形成された電界に応じて表示を行う表示層と、を備えた表示媒体と、
前記表示媒体の前記画素電極に印加する電圧及び前記共通電極に印加する電圧をそれぞれ制御する電圧制御手段と、を備え、
前記表示層が、少なくとも互いに色及び電荷が異なる第１粒子及び第２粒子を含み、
前記電圧制御手段が、第１粒子及び第２粒子のいずれか一方の粒子によって全面同じ色の表示を行なうときは、前記第２共通電極層の方が前記第１共通電極層よりも前記一方の粒子を引き付ける電圧を印加し、他方の粒子によって画像表示を行なうときは、前記第１共通電極層の方が前記第２共通電極層よりも前記他方の粒子を引き付ける電圧を印加する手段である表示装置。
【請求項４】
前記第１共通電極層は前記第２共通電極層と前記画素電極との間に積層されてなり、前記第２共通電極層は前記第１共通電極層の全体と厚さ方向で重なる全面電極である請求項３に記載の表示装置。
【請求項５】
前記第２共通電極層は、前記第１共通電極層の前記電極部と厚さ方向で重なる非電極部を有し、前記第１共通電極層の前記非電極部と厚さ方向で重なる電極部を有する請求項３に記載の表示装置。
【発明の詳細な説明】
【技術分野】
【０００１】
本発明は、表示媒体及び表示装置に関する。
【背景技術】
【０００２】
繰り返し書き換えが行なわれる表示媒体として、電気泳動粒子を用いた表示媒体が知られている。この電気泳動型の表示媒体は、例えば、それぞれ電極を備え、対向配置された一対の基板と、一対の基板間に形成された電界に応じて基板間を移動するように該基板間に封入された粒子群と、を含んで構成されている。
【０００３】
一対の基板間に封入された粒子群としては、特定の色に着色された１種類の粒子群である場合や、互いに色及び移動に必要な電界強度の異なる複数種類の粒子群である場合等がある。例えば、２種類の粒子群を含む場合、表示媒体では、一対の基板間に電圧を印加することにより封入されている粒子を移動させることで、何れか一方の基板側に移動した粒子の量及び移動した粒子の色に応じた色の画像を表示させる。すなわち、表示対象となる画像の色及び濃度に応じて、移動させる対象となる粒子群を移動させるための強度の電圧を基板間に印加することで、移動対象となる粒子群を一対の基板の何れか一方側へ移動させて表示対象の画像の色及び濃度に応じた画像が表示される。
【０００４】
特許文献１には、電気泳動を利用した表示装置であって、互いに向き合った対向電極の内、画素電極が電極皮膜と絶縁皮膜とを交互に重ね合わせた２層以上の多層電極構造を持ち、各々の電極が互いに異なる形状を有すると同時に各電極を独立に駆動する構造を有することによって任意の形状のパターン表示を行う表示装置が開示されている。
特許文献２、３には、同一基板の異なる位置に第１電極と第２電極をそれぞれ配置し、電気泳動粒子を前記同一基板に配置した電極間で移動させることで表示を行う電気泳動型の表示装置が開示されている。
特許文献４には、表示基板と非表示基板との間隙を細分化し、且つ、一定の距離に保持する間隙保持部材を設け、少なくとも一方の基板側で電極群をマトリクス状に配置するとともに電極群を電気的に接続し、基板間に設けた導電性着色トナーを電界により移動させて表示を行う表示媒体が開示されている。
【先行技術文献】
【特許文献】
【０００５】
【特許文献１】特開昭５５−６３７６号公報
【特許文献２】特開平１１−２１２４９９号公報
【特許文献３】特開２０００−１７１８３９号公報
【特許文献４】特開２００２−１４３８２号公報
【発明の概要】
【発明が解決しようとする課題】
【０００６】
本発明は、後述する第１共通電極層を含まない共通電極を備えた表示媒体に比べ、電圧を印加して表示を行った際に、高い解像度が実現される表示媒体を提供することを目的とする。
【課題を解決するための手段】
【０００７】
請求項１に記載の発明は、間隙を持って対向して配置された、少なくとも一方が透光性を有する一対の基板と、前記一対の基板のうち一方の基板に配置された画素電極と、前記一対の基板のうち他方の基板に、前記画素電極と間隙を持って対向して配置された共通電極であって、互いに独立して電圧が制御され、厚さ方向に間隙を持って配置された第１共通電極層及び第２共通電極層を含む２層以上の共通電極層を有し、前記第１共通電極層は前記画素電極の配置に応じた電極部及び非電極部を有し、前記第２共通電極層は前記第１共通電極層の全体と厚さ方向で重なる全面電極である、共通電極と、
前記画素電極と前記共通電極との間に配置され、少なくとも互いに色及び電荷が異なる第１粒子及び第２粒子を含み、これらの電極間に形成された電界に応じて粒子を移動させて表示を行う表示層と、を備え、
前記第１共通電極層は、前記第２共通電極層と前記画素電極との間に積層されてなり、前記第１共通電極層の前記非電極部が前記画素電極に対向して配置されている表示媒体。
請求項２に記載の発明は、間隙を持って対向して配置された、少なくとも一方が透光性を有する一対の基板と、前記一対の基板のうち一方の基板に配置された画素電極と、前記一対の基板のうち他方の基板に、前記画素電極と間隙を持って対向して配置された共通電極であって、互いに独立して電圧が制御され、厚さ方向に間隙を持って配置された第１共通電極層及び第２共通電極層を含む２層以上の共通電極層を有し、前記第１共通電極層は前記画素電極の配置に応じた電極部及び非電極部を有し、前記第２共通電極層は前記第１共通電極層の少なくとも前記非電極部と厚さ方向で重なる電極部及び前記第１共通電極層の前記電極部と厚さ方向で重なる非電極部を有する、共通電極と、
前記画素電極と前記共通電極との間に配置され、少なくとも互いに色及び電荷が異なる第１粒子及び第２粒子を含み、これらの電極間に形成された電界に応じて粒子を移動させて表示を行う表示層と、を備え、
前記第１共通電極層は、前記第２共通電極層と前記画素電極との間に積層されてなり、前記第１共通電極層の前記電極部が前記画素電極に対向して配置されている表示媒体。
請求項３に記載の発明は、間隙を持って対向して配置された、少なくとも一方が透光性を有する一対の基板と、前記一対の基板のうち一方の基板に配置された画素電極と、前記一対の基板のうち他方の基板に、前記画素電極と間隙を持って対向して配置された共通電極であって、互いに独立して電圧が制御され、厚さ方向に間隙を持って配置された第１共通電極層及び第２共通電極層を含む２層以上の共通電極層を有し、前記第１共通電極層は前記画素電極の配置に応じた電極部及び非電極部を有し、前記第２共通電極層は前記第１共通電極層の少なくとも前記非電極部と厚さ方向で重なる電極部を有する、共通電極と、前記画素電極と前記共通電極との間に配置され、これらの電極間に形成された電界に応じて表示を行う表示層と、を備えた表示媒体と、前記表示媒体の前記画素電極に印加する電圧及び前記共通電極に印加する電圧をそれぞれ制御する電圧制御手段と、を備え、前記表示層が、少なくとも互いに色及び電荷が異なる第１粒子及び第２粒子を含み、前記電圧制御手段が、第１粒子及び第２粒子のいずれか一方の粒子によって全面同じ色の表示を行なうときは、前記第２共通電極層の方が前記第１共通電極層よりも前記一方の粒子を引き付ける電圧を印加し、他方の粒子によって画像表示を行なうときは、前記第１共通電極層の方が前記第２共通電極層よりも前記他方の粒子を引き付ける電圧を印加する手段である表示装置。
請求項４に記載の発明は、前記第１共通電極層は前記第２共通電極層と前記画素電極との間に積層されてなり、前記第２共通電極層は前記第１共通電極層の全体と厚さ方向で重なる全面電極である請求項３に記載の表示装置。
請求項５に記載の発明は、前記第２共通電極層は、前記第１共通電極層の前記電極部と厚さ方向で重なる非電極部を有し、前記第１共通電極層の前記非電極部と厚さ方向で重なる電極部を有する請求項３に記載の表示装置。
【発明の効果】
【０００８】
請求項１に記載の発明によれば、前記第１共通電極層を含まない共通電極を備えた表示媒体に比べ、電圧を印加して表示を行った際に、高い解像度が実現される表示媒体が提供される。
請求項１に記載の発明によれば、前記第２共通電極層が、前記第１共通電極層の前記画素電極側とは反対側において該第１共通電極層の全体と厚さ方向で重なる全面電極でない場合に比べ、製造が容易であり、安価な表示媒体が提供される。
請求項２に記載の発明によれば、前記第２共通電極層が、前記第１共通電極層の前記電極部と厚さ方向で重なる非電極部を有していない場合に比べ、消費電力が小さい表示媒体が提供される。
請求項３に記載の発明によれば、前記第１共通電極層を含まない共通電極を備えた表示装置に比べ、電圧を印加して表示を行った際に、高い解像度が実現される表示装置が提供される。
請求項３に記載の発明によれば、前記した電圧制御手段を備えていない場合に比べ、高い解像度が実現される表示装置が提供される。
【図面の簡単な説明】
【０００９】
【図１】第１実施形態に係る表示媒体を備えた表示装置を示す概略図である。
【図２】第１実施形態に係る表示媒体における電極の配置を概略的に示す斜視図である。
【図３】第１実施形態に係る表示媒体における電極の配置を概略的に示す側面図である。
【図４】第１実施形態に係る表示媒体において画像表示を行うときに形成される電界の一例を示す概略図である。
【図５】第１実施形態に係る表示媒体において画像表示を行うときの粒子の配置の一例を示す概略図である。
【図６】第１実施形態に係る表示媒体において白表示を行うときに形成される電界の一例を示す概略図である。
【図７】第１実施形態に係る表示媒体において白表示を行うときの粒子の配置の一例を示す概略図である。
【図８】第２実施形態に係る表示媒体における電極の配置を概略的に示す斜視図である。
【図９】第３実施形態に係る表示媒体における電極の配置を概略的に示す斜視図である。
【図１０】第４実施形態に係る表示媒体における電極の配置を概略的に示す斜視図である。
【図１１】従来の表示媒体において画像表示を行うときに形成される電界の一例を示す概略図である。
【図１２】従来の表示媒体において画像表示を行うときの粒子の配置の一例を示す概略図である。
【図１３】従来の表示媒体において白表示を行うときに形成される電界の一例を示す概略図である。
【図１４】従来の表示媒体において白表示を行うときの粒子の配置の一例を示す概略図である。
【図１５】第５実施形態に係る表示媒体における電極の配置を概略的に示す斜視図である。
【発明を実施するための形態】
【００１０】
以下、実施形態について図面を参照しつつ説明する。作用・機能が同じ働きを担う部材には、全図面を通して同じ符合を付与し、重複する説明を省略する場合がある。また、説明を簡易化するために、適宜１つのセルに注目した図を用いて本実施形態を説明する。
【００１１】
本実施形態にかかる表示媒体は、間隙を持って対向して配置された、少なくとも一方が透光性を有する一対の基板と、前記一対の基板のうち一方の基板に配置された画素電極と、前記一対の基板のうち他方の基板に、前記画素電極と間隙を持って対向して配置された共通電極と、前記画素電極と前記共通電極との間に配置され、これらの電極間に形成された電界に応じて表示を行う表示層と、を備えている。共通電極は、互いに独立して電圧が制御され、厚さ方向に間隙を持って配置された第１共通電極層及び第２共通電極層を含む２層以上の共通電極層を有し、前記第１共通電極層は前記画素電極の配置に応じた電極部及び非電極部を有し、前記第２共通電極層は前記第１共通電極層の少なくとも前記非電極部と厚さ方向で重なる電極部を有する。
【００１２】
＜第１実施形態＞
図１は、第１実施形態に係る表示装置の概略的に示している。図２及び図３は、それぞれ第１実施形態に係る表示媒体の電極の配置を概略的に示している。なお、図２及び図３では、両面の基板（表示基板及び背面基板）及び表示層は省略されている。
第１実施形態に係る表示装置１００は、図１に示すように、２種類の粒子４，６の移動を制御して表示を行う表示媒体２１と、表示媒体２１の画素電極に印加する電圧及び共通電極に印加する電圧をそれぞれ制御するための電圧制御手段（電圧印加部３０、制御部４０）とを備えている。
【００１３】
表示媒体２１は、画像表示面とされる表示基板３と非表示面とされる背面基板１とが間隙を持って対向して配置されている。
これらの基板間を定められた間隔に保持すると共に、該基板間を複数のセルに区画する間隙部材５が設けられている。
【００１４】
上記セルとは、画素電極２が設けられた背面基板１と、共通電極１０が設けられた表示基板３と、間隙部材５と、によって囲まれた領域を示している。セル中には透明な分散媒８と多数の電気泳動粒子４，６（適宜、「泳動粒子」又は「粒子」と記す。）が封入されている。泳動粒子４，６は、分散媒８中に分散され、セル内に形成された電界強度に応じて表示基板３と背面基板１との基板間を移動する。
【００１５】
セル内に封入されている泳動粒子６は、予め定められた色を有すると共に正帯電処理され、泳動粒子４は、泳動粒子６とは異なる色を有すると共に負帯電処理されて予め調製されている。例えば、白色を有する白粒子と、白色以外の色を有する粒子、例えば黒粒子が用いられる。
なお、着色された分散媒８を使用し、これとは異なる色を有する１種類の泳動粒子が封入されていてもよいし、透明な分散媒８中に互いに色が異なる３種以上の泳動粒子が封入されていてもよい。
【００１６】
また、本実施形態では、１つのセル内に複数の画素電極が配置されているが、これに限定されず、例えば、表示媒体に画像を表示したときの各画素に対応するように間隙部材５を設け、各画素に対応するようにセルを形成してもよい。例えば、カラーフィルタを使用したカラー表示のようにＲＧＢ３電極で１画素を表示する場合は、１画素１セル構成でも本実施形態は有効となる。
【００１７】
背面基板１には複数の画素電極２がマトリクス状に配置され、これらの画素電極２がそれぞれ画素を構成する。各画素電極２は不図示のＴＦＴ（薄膜トランジスタ）にそれぞれ接続されており、画素電極毎に印加電圧が制御される。
【００１８】
一方、表示基板３には、第１共通電極層１１及び第２共通電極層１２を含む共通電極１０が、画素電極２と間隙を持って対向して配置されている。第１共通電極層１１及び第２共通電極層１２は互いに独立して電圧が制御される。
【００１９】
第１共通電極層１１は、画素電極２の配置に応じた電極部（画素電極２とともに画素を構成する部分）１１Ａ，１１Ｂ，１１Ｃ及び非電極部（電極部以外の部分）を有し、隣接する電極部同士は導線（電極線）１３によって電気的に接続している。なお、本実施形態において「画素電極の配置に応じた電極部及び非電極部」とは、図２及び図３に示されるように、第１共通電極層１１の電極部１１Ａ，１１Ｂ，１１Ｃが画素電極２Ａ，２Ｂ，２Ｃに対向して存在している場合に限られず、後述する図８に示す形態のように、第１共通電極層１１の電極部１１Ａ，１１Ｂが画素電極２Ａ，２Ｂ，２Ｃの間の領域（非画素部）と対向する領域に存在し、非電極部が画素電極２Ａ，２Ｂ，２Ｃと対向して存在する場合も含まれる。
【００２０】
第２共通電極層１２は、第１共通電極層１１の画素電極２側とは反対側において第１共通電極層１１の全体と厚さ方向で重なる全面電極として構成されている。
【００２１】
第１共通電極層１１、第２共通電極層１２、及び表示基板３は、第１共通電極層１１側に引き付けられた泳動粒子によって形成される画像をこれらの部材を通して表示するため、それぞれ透光性を有している。なお、本実施形態における透光性とは、可視光の透過率が６０％以上、好ましくは８０％以上であることを意味する。
一方、非表示面側に位置する背面基板１及び画素電極２は透光性を有してもよいし、有さないものでもよい。
【００２２】
本実施形態に係る表示装置１００を用いて画像表示を行う場合、電圧制御手段を構成する電圧印加部３０及び制御部４０によって、画像データに基づいて選択された画素電極２と共通電極１０との間に電圧が印加され、これらの電極２，１０間に形成された電界に応じて、画素ごとに、共通電極側又は画素電極側に粒子４，６が別々に引き付けられる。従って、共通電極側に引き付ける粒子を画素ごとに制御することで任意の画像が表示される。また、共通電極側に一方の粒子を、画素電極側に他方の粒子をそれぞれ引き付ければ、全面一色の表示が実現される。
【００２３】
ここで、従来の表示媒体と本実施形態に係る表示媒体においてそれぞれ形成される電界と粒子の配置について具体的に説明する。
図１１〜図１４は従来の２種類の表示媒体における電極の配置を概略的に示している。なお、図１２では黒粒子４が正帯電、白粒子６が負帯電であり、図１４では黒粒子４が負帯電、白粒子６が正帯電とされている。
例えば、図１１に示されるように共通電極１１０として全面電極を設けた表示媒体において画像を表示する際、まず画素電極１０２全てに０Ｖ、共通電極１１０に＋１０Ｖを印加して全面白表示とした後、画素電極１０２Ａ，１０２Ｃは０Ｖ、画素電極１０２Ｂは１０Ｖ、共通電極１１０は０Ｖとして電圧を印加した場合、図１１において電気力線で模式的に示すように、画素電極１０２Ｂと共通電極１１０の間には画素電極１０２Ｂの周辺にも広がる電界が形成される。そのため、図１２に示されるように、画像表示に供する黒粒子４は、共通電極１１０のうち画素電極１０２Ｂと対向する領域よりも広い領域（Ｃ１で囲まれる領域）に引き付けられるため、画素が広がって不鮮明となり易い。特に、電気泳動を利用した電子ペーパでは画素電極と共通電極との間の距離が大きく、電界（画素）が広がりやすい。
【００２４】
また、図１３に示されるように、共通電極が、画素電極に対応した電極部１１１Ａ，１１１Ｂ，１１１Ｃを有して画素電極１０２Ａ，１０２Ｂ，１０２Ｃに対向して配置され、隣接する電極部が導線１１３で接続して構成されている表示媒体において、例えば画素電極１０２Ａ，１０２Ｂ，１０２Ｃは１０Ｖ、共通電極１１１は０Ｖとして電圧を印加すると、電気力線で示されるように、各画素電極１０２Ａ，１０２Ｂ，１０２Ｃと対向する共通電極１１１Ａ，１１１Ｂ，１１１Ｃとの間に形成される電界の広がりは抑制される。この表示媒体では、図１２に示す表示媒体に比べて画像表示の解像度は改善されるが、図１４に示されるように、共通電極１１１における非電極部には粒子が引き付けられないため（Ｃ２で囲まれる領域）、全面一色、例えば白表示をする際、画素間における粒子の抜けにより表示濃度が低下し、画素間のパターンが見えてしまう。
【００２５】
一方、本実施形態に係る表示媒体２１では、画素間の粒子も制御され、高い解像度とともに高い画像濃度が実現される。
本実施形態に係る表示媒体において２種の粒子４，６（粒子４は正帯電、粒子６は負帯電）によって画像表示をする際、まず画素電極１０２全てに０Ｖ、共通電極１１および１２に＋１０Ｖを印加して全面白表示とした後、例えば図４に示すように、画素電極２Ａ，２Ｃは０Ｖ、画素電極２Ｂは１０Ｖ、第１共通電極層１１は０Ｖ、第２共通電極層１２は５Ｖとして電圧を印加した場合、各画素部における電界の広がりが抑制される。従って、図５に示されるように、粒子４は共通電極側においても各画素電極２Ａ，２Ｂ，２Ｃに対向する領域（画素領域）ごとに引き付けられる。すなわち、画素間での粒子の配置が抑制されるため、画素が鮮明に再現され、高いコントラストが達成されることになる。
【００２６】
なお、各電極２，１１，１２に印加する電圧は上記の値に限定されず、粒子４，６の電気特性、画素電極２と共通電極１０との距離、第１共通電極層１１と第２共通電極層１２との距離などに応じて適宜選択すればよい。ただし、画素の広がりを抑制する観点から、画素電極２と第１共通電極層１１との電位差（図４では１０Ｖ）が、画素電極２と第２共通電極層１２との電位差（図４では５Ｖ）よりも大きくなるように制御することが望ましい。
【００２７】
また、本実施形態に係る表示媒体２１において全面一色、例えば白表示をする際には、例えば図６に示すように、画素電極２Ａ，２Ｂ，２Ｃは１０Ｖ、第１共通電極層１１は０Ｖ、第２共通電極層１２は−２Ｖとして電圧を印加した場合、画素電極２と共通電極１０との間に形成される電界は、第１共通電極層１１の電極部１１Ａ，１１Ｂ，１１Ｃのほか、電極部間の非電極部にも広がる。従って、例えば白粒子６が正帯電、黒粒子４が負帯電であれば、図７に示されるように、粒子６は第１共通電極層１１の全体に配置され、画素間における粒子６の抜けが抑制されることになる。すなわち、第２共通電極層１２を含まない共通電極を備えた表示媒体に比べ、画像濃度の低下が抑制される。
なお、全面白表示を行う場合も、各電極２，１１，１２に印加する電圧は上記の値に限定されず、粒子４，６の電気特性、画素電極２Ａ，２Ｂ，２Ｃと共通電極１０との距離、第１共通電極層１１と第２共通電極層１２との距離などに応じて適宜選択すればよい。ただし、第１共通電極層１１の非電極部、すなわち画素間にも粒子を確実に引き付ける観点から、画素電極２と第２共通電極層１２との電位差（図６では１２Ｖ）は、画素電極２と第１共通電極層１１との電位差（図６では１０Ｖ）よりも大きくなるように制御することが望ましい。
【００２８】
画素電極２と第１共通電極層１１との距離は、これらの電極間に配置されている粒子を電圧の印加によって各電極のいずれの側にも移動するようにする観点から、例えば１０μｍ以上１００μｍ以下とする。
一方、第１共通電極層１１と第２共通電極層１２との間隔が小さい方が低電圧で第２共通電極層１２によって電界を制御する効果が得られる。第２共通電極層１２によって電界を制御する観点から、例えば０．１μｍ以上１０μｍ以下とする。
【００２９】
次に、本実施形態に係る表示装置の構成部材についてさらに具体的に説明する。
【００３０】
‐表示基板及び背面基板‐
表示基板３には、共通電極１０として第１共通電極層１１及び第２共通電極層１２が配置されている。
背面基板１には、画素電極２が配置されている。
表示基板３、又は表示基板３と背面基板１の双方は、透光性を有している。
【００３１】
表示基板３及び背面基板１としては、ガラスや、プラスチック、例えば、ポリエチレンテレフタレート樹脂、ポリカーボネート樹脂、アクリル樹脂、ポリイミド樹脂、ポリエステル樹脂、エポキシ樹脂、ポリエーテルサルフォン樹脂等が挙げられる。
【００３２】
表示基板及３及び背面基板１のそれぞれの厚みは、例えば、５０μｍ以上３ｍｍ以下である。なお、背面基板１はＴＦＴを含む分、表示基板３より厚くなり、例えば、表示基板３は０．０５ｍｍ以上１ｍｍ以下、背面基板１は０．１ｍｍ以上３ｍｍ以下とする。
【００３３】
‐画素電極‐
画素電極２は、背面基板１上に、特定のパターン、例えばマトリクス状に配置され、それぞれが画素を構成する。各画素電極２Ａ，２Ｂ，２ＣはそれぞれＴＦＴ（不図示）に接続されており、画素電極ごと２Ａ，２Ｂ，２Ｃに電圧が制御される。
画素電極２には、インジウム、スズ、カドミウム、アンチモン等の酸化物、ＩＴＯ等の複合酸化物、金、銀、銅、ニッケル等の金属、ポリピロールやポリチオフェン等の有機材料等が使用される。これらは単層膜、混合膜あるいは複合膜として使用され、蒸着法、スパッタリング法、塗布法等で形成される。
画素電極２の厚さは、蒸着法、スパッタリング法によれば、通常１００Å以上２０００Å以下である。
【００３４】
なお、パッシブマトリックス駆動とする場合にはストライプ状に形成してもよい。
【００３５】
また、画素電極を背面基板に埋め込んでもよい。
【００３６】
‐共通電極‐
共通電極１０は、第１共通電極層１１及び第２共通電極層１２を含み、第１共通電極層１１と第２共通電極層１２は厚さ方向に間隙を持って配置されている。
第１共通電極層１１と第２共通電極層１２との間には、表示基板の一部３Ｂを構成し、第１共通電極層１１と第２共通電極層１２との間隙を保つ間隙部材が配置されている。この間隙部材３Ｂは、例えば、表示基板３Ａに第２共通電極層１２を形成した後、特定の厚みを有する誘電体層として形成してもよい。そして、誘電体層３Ｂ上に第１共通電極層１１を特定のパターンで形成してもよい。
【００３７】
第１共通電極層１１は、画素電極２と同等の形状を有する電極部１１Ａ，１１Ｂ，１１Ｃが、各画素電極２Ａ，２Ｂ，２Ｃと対向するように表面基板面に対してマトリクス状に配置されている。隣接する電極部同士は導線（電極線）１３によって導通しており、共通した電圧が印加される。なお、本実施形態では、第１共通電極層１１において、画素電極２Ａ，２Ｂ，２Ｃと対向し、粒子が引き付けられる導電層を電極部１１Ａ，１１Ｂ，１１Ｃとし、電極部以外の領域は、導線１３が配置されている領域も含めて非電極部とする。
【００３８】
第２共通電極層１２は表示基板の面内全体に形成された全面電極であり、共通した電圧が印加される。
【００３９】
第１共通電極層１１及び第２共通電極層１２は、ともに光透過性を有する材料及び厚みが採用される。
各共通電極層１１，１２には、インジウム、スズ、カドミウム、アンチモン等の酸化物、ＩＴＯやＩＺＯ等の複合酸化物、金、銀、銅、ニッケル等の金属、ポリピロールやポリチオフェン等の有機材料等が使用される。これらは単層膜、混合膜あるいは複合膜として使用され、蒸着法、スパッタリング法、塗布法等で形成される。
第１共通電極層１１の厚さは、蒸着法、スパッタリング法によれば、通常１００Å以上２０００Å以下である。
第２共通電極層１２の厚さは、蒸着法、スパッタリング法によれば、通常１００Å以上２０００Å以下である。
【００４０】
‐間隙部材‐
表示基板３と背面基板１との間隙を保持するための間隙部材５は、表示基板３の透光性を損なわないように形成され、例えば、熱可塑性樹脂、熱硬化性樹脂、電子線硬化樹脂、光硬化樹脂、ゴム等で形成される。
【００４１】
間隙部材５は表示基板３及び背面基板１の何れか一方と一体化されてもよい。この場合には、基板１，３に対して、エッチング処理、レーザー加工処理、予め作製した型を使用してプレス加工処理又は印刷処理等を行うことによって間隙部材を作製する。
間隙部材５は、表示基板３側、背面基板１側のいずれか、又は双方に作製する。
【００４２】
間隙部材５は有色でも無色でもよいが、表示媒体に表示される表示画像に悪影響を及ぼさないように無色透明であることが望ましく、例えば、ポリスチレンやポリエステルやアクリルなどの透明樹脂等が使用される。
【００４３】
また、粒子状又は球状の間隙部材５を採用する場合もまた透明であることが望ましく、ポリスチレン、ポリエステル又はアクリル等の透明樹脂粒子の他、ガラス粒子も使用される。
【００４４】
なお、本実施形態において「透明」とは、可視光に対して、透過率６０％以上有することを示している。
【００４５】
‐分散媒‐
泳動粒子４，６が分散される分散媒８としては、絶縁性液体であることが望ましい。本明細書において、「絶縁性」とは、体積固有抵抗が１０１１Ωｃｍ以上であることを示している。
【００４６】
上記絶縁性液体として具体的には、ヘキサン、シクロヘキサン、トルエン、キシレン、デカン、ヘキサデカン、ケロセン、パラフィン、イソパラフィン、シリコーンオイル、ジククロロエチレン、トリクロロエチレン、パークロロエチレン、高純度石油、エチレングリコール、アルコール類、エーテル類、エステル類、ジメチルホルムアミド、ジメチルアセトアミド、ジメチルスルホキシド、Ｎ−メチルピロリドン、２−ピロリドン、Ｎ−メチルホルムアミド、アセトニトリル、テトラヒドロフラン、プロピレンカーボネート、エチレンカーボネート、ベンジン、ジイソプロピルナフタレン、オリーブ油、イソプロパノール、トリクロロトリフルオロエタン、テトラクロロエタン、ジブロモテトラフルオロエタンなどや、それらの混合物が好適に使用される。これらの中でも、シリコーンオイルを適用することがよい。
【００４７】
なお、絶縁性液体には、必要に応じて、酸、アルカリ、塩、分散安定剤、酸化防止や紫外線吸収などを目的とした安定剤、抗菌剤、防腐剤などを添加してもよいが、上記で示した特定の体積抵抗値の範囲となるように添加することが望ましい。
【００４８】
また、絶縁性液体には、帯電制御剤として、陰イオン界面活性剤、陽イオン界面活性剤、両性界面活性剤、非イオン界面活性剤、フッ素系界面活性剤、シリコーン系界面活性剤、金属石鹸、アルキルリン酸エステル類、コハク酸イミド類等を添加して使用してもよい。
【００４９】
イオン性及び非イオン性の界面活性剤としては、より具体的には以下があげられる。ノニオン界面活性剤としては、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレン脂肪酸エステル、ソルビタン脂肪酸エステル、ポリオキシエチレンソルビタン脂肪酸エステル、脂肪酸アルキロールアミド等が挙げられる。アニオン界面活性剤としては、アルキルベンゼンスルホン酸塩、アルキルフェニルスルホン酸塩、アルキルナフタリンスルホン酸塩、高級脂肪酸塩、高級脂肪酸エステルの硫酸エステル塩、高級脂肪酸エステルのスルホン酸等がある。カチオン界面活性剤としては、第一級ないし第三級のアミン塩、第四級アンモニウム塩等があげられる。
これら帯電制御剤は、粒子固形分に対して０．０１質量％以上２０質量％以下が望ましく、特に０．０５質量％以上１０質量％以下の範囲が望ましい。
【００５０】
分散媒８は、前記絶縁性液体と共に高分子樹脂を併用してもよい。高分子樹脂としては、高分子ゲル、高分子ポリマー等であることも望ましい。
【００５１】
具体的な高分子樹脂としては、アガロース、アガロペクチン、アミロース、アルギン酸ナトリウム、アルギン酸プロピレングリコールエステル、イソリケナン、インスリン、エチルセルロース、エチルヒドロキシエチルセルロース、カードラン、カゼイン、カラギーナン、カルボキシメチルセルロース、カルボキシメチルデンプン、カロース、寒天、キチン、キトサン、絹フィブロイン、クアーガム、クインスシード、クラウンゴール多糖、グリコーゲン、グルコマンナン、ケラタン硫酸、ケラチン蛋白質、コラーゲン、酢酸セルロース、ジェランガム、シゾフィラン、ゼラチン、ゾウゲヤシマンナン、ツニシン、デキストラン、デルマタン硫酸、デンプン、トラガカントゴム、ニゲラン、ヒアルロン酸、ヒドロキシエチルセルロース、ヒドロキシプロピルセルロース、プスツラン、フノラン、分解キシログルカン、ペクチン、ポルフィラン、メチルセルロース、メチルデンプン、ラミナラン、リケナン、レンチナン、ローカストビーンガム等の天然高分子由来の高分子ゲルが挙げられる他、合成高分子の場合にはほとんどすべての高分子ゲルが挙げられる。
【００５２】
更に、アルコール、ケトン、エーテル、エステル、及びアミドの官能基を繰り返し単位中に含む高分子等が挙げられ、例えば、ポリビニルアルコール、ポリ（メタ）アクリルアミドやその誘導体、ポリビニルピロリドン、ポリエチレンオキシドやこれら高分子を含む共重合体が挙げられる。
【００５３】
これらの中でも、ゼラチン、ポリビニルアルコール、ポリ（メタ）アクリルアミド等が望ましく用いられる。
【００５４】
また、この分散媒８に着色剤を混合することで、泳動粒子４，６の色とは異なる色を表示させてもよい。
【００５５】
分散媒８に混合する着色剤としては、カーボンブラック、酸化チタン、酸化マグネシウム、酸化亜鉛、フタロシアニン銅系シアン色材、アゾ系イエロー色材、アゾ系マゼンタ色材、キナクリドン系マゼンタ色材、レッド色材、グリーン色材、ブルー色材等の公知の着色剤が挙げられる。具体的には、アニリンブルー、カルコイルブルー、クロムイエロー、ウルトラマリンブルー、デュポンオイルレッド、キノリンイエロー、メチレンブルークロリド、フタロシアニンブルー、マラカイトグリーンオキサレート、ランプブラック、ローズベンガル、Ｃ．Ｉ．ピグメント・レッド４８：１、Ｃ．Ｉ．ピグメント・レッド１２２、Ｃ．Ｉ．ピグメント・レッド５７：１、Ｃ．Ｉ．ピグメント・イエロー９７、Ｃ．Ｉ．ピグメント・ブルー１５：１、Ｃ．Ｉ．ピグメント・ブルー１５：３、等が代表的なものとして挙げられる。
【００５６】
分散媒８はその中で泳動粒子４，６が移動することから、低粘度であることが好ましく、従って、分散媒８の粘度についても調整することがよい。
【００５７】
分散媒８の粘度は、温度２０℃の環境下において、０．１ｍＰａ・ｓ以上１００ｍＰａ・ｓ以下であることが望ましく、０．１ｍＰａ・ｓ以上５０ｍＰａ・ｓ以下であることがより望ましく、０．１ｍＰａ・ｓ以上２０ｍＰａ・ｓ以下であることが更に望ましい。
【００５８】
分散媒８の粘度の調整は、分散媒の分子量、構造、組成等を調整することによって行われる。なお、この粘度の測定には、東京計器製Ｂ−８Ｌ型粘度計を用いる。
【００５９】
‐泳動粒子‐
本実施形態では、例えば、泳動粒子６は正（＋）に、泳動粒子４は負（−）に帯電されており、共通電極１０と画素電極２との電極間に（すなわち、表示基板３と背面基板１と基板間に）、特定の電圧が印加されて表示基板３と背面基板１との基板間に特定の電界強度以上の電界が形成されることで分散媒８中を移動するものである。
表示媒体における表示色の変化は、この泳動粒子４，６を構成する各粒子の分散媒８中の移動によって生じる。
【００６０】
泳動粒子４，６としては、ガラスビーズ、アルミナ、酸化チタン等の絶縁性の金属酸化物粒子等、熱可塑性若しくは熱硬化性樹脂粒子、これらの樹脂粒子の表面に着色剤を固定したもの、熱可塑性若しくは熱硬化性樹脂中に着色剤を含有する粒子、及びプラズモン発色機能を有する金属コロイド粒子等が挙げられる。
【００６１】
粒子の製造に使用される熱可塑性樹脂としては、スチレン、クロロスチレン等のスチレン類、エチレン、プロピレン、ブチレン、イソプレン等のモノオレフィン、酢酸ビニル、プロピオン酸ビニル、安息香酸ビニル、酪酸ビニル等のビニルエステル、アクリル酸メチル、アクリル酸エチル、アクリル酸ブチル、アクリル酸ドデシル、アクリル酸オクチル、アクリル酸フェニル、メタクリル酸メチル、メタクリル酸エチル、メタクリル酸ブチル、メタクリル酸ドデシル等のα−メチレン脂肪族モノカルボン酸エステル類、ビニルメチルエーテル、ビニルエチルエーテル、ビニルブチルエーテル等のビニルエーテル類、ビニルメチルケトン、ビニルヘキシルケトン、ビニルイソプロペニルケトン等のビニルケトン類の単独重合体あるいは共重合体が例示される。
【００６２】
また、粒子の製造に使用される熱硬化性樹脂としては、ジビニルベンゼンを主成分とする架橋共重合体や架橋ポリメチルメタクリレート等の架橋樹脂、フェノール樹脂、尿素樹脂、メラミン樹脂、ポリエステル樹脂、シリコーン樹脂等が挙げられる。特に代表的な結着樹脂としては、ポリスチレン、スチレン−アクリル酸アルキル共重合体、スチレン−メタクリル酸アルキル共重合体、スチレン−アクリロニトリル共重合体、スチレン−ブタジエン共重合体、スチレン−無水マレイン酸共重合体、ポリエチレン、ポリプロピレン、ポリエステル、ポリウレタン、エポキシ樹脂、シリコーン樹脂、ポリアミド、変性ロジン、パラフィンワックス等が挙げられる。
【００６３】
着色剤としては、有機若しくは無機の顔料や、油溶性染料等が使用され、マグネタイト、フェライト等の磁性紛、カーボンブラック、酸化チタン、酸化マグネシウム、酸化亜鉛、フタロシアニン銅系シアン色材、アゾ系イエロー色材、アゾ系マゼンタ色材、キナクリドン系マゼンタ色材、レッド色材、グリーン色材、ブルー色材等の公知の着色剤が挙げられる。具体的には、アニリンブルー、カルコイルブルー、クロムイエロー、ウルトラマリンブルー、デュポンオイルレッド、キノリンイエロー、メチレンブルークロリド、フタロシアニンブルー、マラカイトグリーンオキサレート、ランプブラック、ローズベンガル、Ｃ．Ｉ．ピグメント・レッド４８：１、Ｃ．Ｉ．ピグメント・レッド１２２、Ｃ．Ｉ．ピグメント・レッド５７：１、Ｃ．Ｉ．ピグメント・イエロー９７、Ｃ．Ｉ.ピグメント・ブルー１５：１、Ｃ．Ｉ．ピグメント・ブルー１５：３、等が代表的なものとして例示される。
【００６４】
粒子の樹脂には、必要に応じて、帯電制御剤を混合してもよい。帯電制御剤としては、電子写真用トナー材料に使用される公知のものが使用され、例えば、セチルピリジルクロライド、ＢＯＮＴＲＯＮ  Ｐ−５１、ＢＯＮＴＲＯＮ  Ｐ−５３、ＢＯＮＴＲＯＮ  Ｅ−８４、ＢＯＮＴＲＯＮ  Ｅ−８１（以上、オリエント化学工業社製）等の第４級アンモニウム塩、サリチル酸系金属錯体、フェノール系縮合物、テトラフェニル系化合物、酸化金属粒子、各種カップリング剤により表面処理された酸化金属粒子が挙げられる。
【００６５】
粒子の表面には、必要に応じて、外添剤を付着させてもよい。外添剤の色は、粒子の色に影響を与えないように、透明であることが望ましい。
【００６６】
外添剤としては、酸化ケイ素（シリカ）、酸化チタン、アルミナ等の金属酸化物等の無機粒子が用いられる。粒子をカップリング剤やシリコーンオイルで表面処理してもよい。
【００６７】
カップリング剤には、アミノシラン系カップリング剤、アミノチタン系カップリング剤、ニトリル系カップリング剤等の正帯電性のものと、窒素原子を含まない（窒素以外の原子で構成される）シラン系カップリング剤、チタン系カップリング剤、エポキシシランカップリング剤、アクリルシランカップリング剤等の負帯電性のものがある。また、シリコーンオイルには、アミノ変性シリコーンオイル等の正帯電性のものと、ジメチルシリコーンオイル、アルキル変性シリコーンオイル、α−メチルスルホン変性シリコーンオイル、メチルフェニルシリコーンオイル、クロルフェニルシリコーンオイル、フッ素変性シリコーンオイル等の負帯電性のものが挙げられる。これらは外添剤の抵抗に応じて選択される。
【００６８】
上記外添剤の中では、よく知られている疎水性シリカや疎水性酸化チタンが望ましく、特に特開平１０−３１７７号公報記載のＴｉＯ（ＯＨ）２と、シランカップリング剤等のシラン化合物との反応で得られるチタン化合物が好適である。シラン化合物としてはクロロシラン、アルコキシシラン、シラザン、特殊シリル化剤のいずれのタイプを使用してもよい。このチタン化合物は、湿式工程の中で作製されるＴｉＯ（ＯＨ）２にシラン化合物あるいはシリコーンオイルを反応、乾燥させて作製される。
【００６９】
外添剤の一次粒子は、一般的には１ｎｍ以上１００ｎｍ以下であり、５ｎｍ以上５０ｎｍ以下であることがより良いが、これに限定されない。
【００７０】
外添剤と粒子の配合比は粒子の粒径と外添剤の粒径の兼ね合いから調整される。一般的には、外添剤の量は、粒子１００質量部に対して、０．０１質量部以上３質量部以下、また０．０５質量部以上１質量部以下であることがより良い。
【００７１】
外添剤は、複数種類の粒子の何れか１種にだけ添加してもよいし、複数種又は全種類の粒子へ添加してもよい。全粒子の表面に外添剤を添加する場合は、粒子表面に外添剤を衝撃力で打込んだり、粒子表面を加熱して外添剤を粒子表面に強固に固着したりすることが望ましい。
【００７２】
泳動粒子４，６の含有量（セル中の全質量に対する含有量（質量％））は、求められる色相が得られる濃度であれば特に限定されるものではなく、セルの厚さ（すなわち、表示基板３と背面基板１との基板間の距離）により含有量を調整することが、表示媒体としては有効である。即ち、上記色相を得るために、セルが厚くなるほど含有量は少なくなり、セルが薄くなるほど含有量は多くなる。一般的には、０．０１質量％以上５０質量％以下である。
【００７３】
上記共通電極１０を設けた表示基板３及び画素電極２を設けた背面基板１を、間隙部材５を介して互いに固定する手段は特に限定されず、例えば、ボルトとナットとの組み合わせ、クランプ、クリップ、基板固定用の枠等の固定手段を使用する。また、接着剤、熱溶融、超音波接合等の固定手段も使用してもよい。
【００７４】
このように構成される表示媒体２１は、例えば、画像の保存及び書換えを行う掲示板、回覧版、電子黒板、広告、看板、点滅標識、電子ペーパー、電子新聞、電子書籍、及び複写機・プリンタと共用するドキュメントシート等に使用される。
【００７５】
‐電圧印加部及び制御部‐
電圧印加部３０は、画素電極２、共通電極１０の第１共通電極層１１及び第２共通電極層１２にそれぞれ電気的に接続されている。なお、本実施形態では、共通電極１０及び画素電極２の双方が、電圧印加部３０に電気的に接続されているが、第１共通電極層１１及び第２共通電極層１２のいずれか一方が接地されており、他方の共通電極層と画素電極２が電圧印加部３０に接続された構成であってもよい。
【００７６】
電圧印加部３０は、制御部４０に信号授受されるように接続されている。
【００７７】
制御部４０は、装置全体の動作を司るＣＰＵ（中央処理装置）と、各種データを一時的に記憶するＲＡＭ（Ｒａｎｄｏｍ  Ａｃｃｅｓｓ  Ｍｅｍｏｒｙ）と、装置全体を制御する制御プログラム等の各種プログラムが予め記憶されたＲＯＭ（Ｒｅａｄ  Ｏｎｌｙ  Ｍｅｍｏｒｙ）と、を含むマイクロコンピュータとして構成されていてもよい。
【００７８】
電圧印加部３０は、共通電極１０及び画素電極２に電圧を印加するための電圧印加装置であり、制御部４０の制御に応じた電圧を画素電極２、共通電極１０の第１共通電極層１１及び第２共通電極層１２にそれぞれ印加する。
電圧印加部３０及び制御部４０により構成される電圧制御手段は、粒子４，６のいずれか一方の粒子によって全面同じ色の表示を行なうときは、第２共通電極層１２の方が第１共通電極層１１よりも前記一方の粒子を引き付ける電圧を印加し、他方の粒子によって画像表示を行なうときは、第１共通電極層１１の方が第２共通電極層１２よりも前記他方の粒子を引き付ける電圧を印加することで、任意の画像表示が行われる。
【００７９】
例えば、電気泳動粒子として白粒子６と、白色以外の色粒子として黒粒子４を含む場合、白粒子６によって白表示を行なうときは、電圧制御手段（電圧印加部３０、制御部４０）が、第２共通電極層１２の方が第１共通電極層１１よりも白粒子６を引き付ける電圧を印加する。これにより、図７に示したように画素間での粒子の抜けが抑制され、高い画像濃度が実現される。ここでは、黒粒子４は負帯電、白粒子６は正帯電である。次いで、黒粒子６によって画像表示を行なうときは、第１共通電極層１１の方が第２共通電極層１２よりも黒粒子４を引き付ける電圧を印加する。これにより、図５に示したように、画素間における粒子の配置が抑制され、黒粒子による画素の広がりが抑制され、画像が鮮明に表示される。
【００８０】
＜第２実施形態＞
図８は、第２実施形態に係る表示媒体における電極の配置を概略的に示している。第２実施形態に係る表示媒体２２は、画素電極２は、第１実施形態に係る表示媒体２１と同様の形状を有して配置されている。
一方、共通電極については、第１共通電極層１１は、隣接する画素電極間の各領域に対向する位置に電極部１１Ａ，１１Ｂが配置され、画素電極２Ａ，２Ｂ，２Ｃに対向する位置は主に非電極部となっている。なお、隣接する電極部同士は、第１実施形態に係る表示媒体と同様に導線１３で電気的に接続されている。また、第２共通電極層１２は第１実施形態に係る表示媒体と同様に全面電極として配置されている。第１共通電極層１１と第２共通電極層１２は独立して電圧が制御される。
【００８１】
この表示媒体２２でも第２共通電極層１２は第１共通電極層１１の非電極部と厚さ方向で重なっているため、第１共通電極層１１と第２共通電極層１２に印加する電圧を制御することにより、いずれか一方の共通電極層を有する場合に比べ、粒子の配置が高い精度で制御される。
【００８２】
例えば、図６に示した第１実施形態の表示媒体と同様に、画素電極２Ａ，２Ｂ，２Ｃは１０Ｖ、第１共通電極層１１Ａ，１１Ｂは０Ｖ、第２共通電極層１２は−２Ｖとして電圧を印加すれば、画素電極２Ｂと第１共通電極層１１の電極部１１Ａ，１１Ｂとの間、及び、画素電極２Ｂと、第１共通電極層１１の非電極部に重なる第２共通電極層１２との間に電界が形成され、共通電極１０の全面に白粒子が引き付けられて濃度が高い全面白表示が実現される。なお、各電極２，１１，１２に印加する電圧は上記の値に限定されず、粒子４，６の電気特性、画素電極２と共通電極１０との距離、第１共通電極層１１と第２共通電極層１２との距離などに応じて適宜選択される。
また、例えば、画素電極２Ａ，２Ｂ，２Ｃのうち、画素電極２Ｂと第２共通電極層１２との間で特定の電位差がつくように電圧を制御し、かつ第１共通電極層１１と第２共通電極層１２との間で特定の電位差がつくように電圧を制御することで、図４および図５に示したと同様に各画素部における電界の広がりが抑制され、画素が鮮明に再現され、高いコントラストが達成されることになる。
例えば、黒粒子が正帯電、白粒子が負帯電で、予め全面白表示状態から画像表示する場合、画素電極２Ａと２Ｃに０Ｖ、２Ｂに１０Ｖ印加し、第１共通電極層１１に５Ｖ、第２共通電極層１２に０Ｖを印加する。本実施形態でも、第２共通電極層１２を含まない共通電極を備えた表示媒体に比べ、画像濃度の低下が抑制される。
【００８３】
＜第３実施形態＞
図９は、第３実施形態に係る表示媒体における電極の配置を概略的に示している。第３実施形態に係る表示媒体２３は、画素電極２及び第１共通電極層１１は、それぞれ第１実施形態に係る表示媒体と同様の形状を有して配置されている。
一方、第２共通電極層１２は、第１共通電極層１１の非電極部と厚さ方向で重なるように電極部１２Ａ，１２Ｂが配置されている。第２共通電極層１２の隣接する第２電極部同士は導線１４で電気的に接続されており、電極部１２Ａ，１２Ｂには共通した電圧が印加される。第１共通電極層１１と第２共通電極層１２は独立して電圧が制御される。
【００８４】
この表示媒体２３でも第２共通電極層１２の電極部１２Ａは第１共通電極層１１の非電極部と厚さ方向で重なっているため、第１共通電極層１１と第２共通電極層１２に印加する電圧を制御することにより、共通電極としていずれか一方の共通電極層を有する場合に比べ、粒子の配置が高精度に制御される。
また、第３実施形態に係る表示媒体２３では、第１実施形態及び第２実施形態に比べて、第１共通電極層１１と第２共通電極層１２の重なる部分が少なく、第１共通電極層１１と第２共通電極層１２との間の静電容量の低減により、消費電力が抑制される。
【００８５】
＜第４実施形態＞
図１０は、第４実施形態に係る表示媒体における電極の配置を概略的に示している。第４実施形態に係る表示媒体２４は、画素電極２は、第１実施形態に係る表示媒体と同様の形状を有して配置されている。
一方、第１共通電極層１１は、第２実施形態に係る表示媒体２２と同様に画素電極間に対向する位置に電極部１２Ａ，１２Ｂ，１２Ｃが配置され、画素電極に対向する位置は主に非電極部となっている。また、第２共通電極層１２は、第１共通電極層１１の非電極部と厚さ方向で重なるように電極部１２Ａ，１２Ｂが配置されている。第２共通電極層１２の隣接する電極部同士は導線１４で電気的に接続されており、共通した電圧が印加される。
【００８６】
この表示媒体でも第２共通電極層１２の電極部１２Ａ，１２Ｂ，１２Ｃは第１共通電極層１１の非電極部と厚さ方向で重なっているため、第１共通電極層１１と第２共通電極層１２に印加する電圧を制御することにより、共通電極としていずれか一方の共通電極層を有する場合に比べ、粒子の配置が高精度に制御される。
また、第４実施形態に係る表示媒体２４でも、第１実施形態及び第２実施形態に比べて、第１共通電極層１１と第２共通電極層１２が重なる部分が少ないため、消費電力が抑制される。
【００８７】
以上、電気泳動型の電子ペーパを例にして本実施形態に係る表示媒体及び表示装置を説明したが、本発明はこれに限定されず、例えば３層以上の共通電極層が配置されていてもよい。例えば、図１５に示すように、共通電極として三層の共通電極層１１，１２，１５が配置された表示媒体２５としてもよい。この表示媒体２５では、共通電極層１２，１２，１５ごとに隣接する画素部がそれぞれ電極線１３，１４，１７によって連結し、各層ごとに共通の電圧が印加される。
また、例えば、表示層として、液晶、有機電界発光層、無機電界発光層など電界によって表示が変化する表示層を備えた表示媒体及び表示装置としてもよい。
【符号の説明】
【００８８】
１  背面基板
２，２Ａ，２Ｂ，２Ｃ 画素電極
３  表示基板
４，６ 電気泳動粒子
７  間隙部材
８  分散媒
１０  共通電極
１１  第１共通電極層
１１Ａ，１１Ｂ，１１Ｃ  第１共通電極層の電極部
１２  共通電極
１２  第２共通電極層
１２Ａ，１２Ｂ，１２Ｃ  第２共通電極層の電極部
１３，１４  導線（電極線）
２１，２２，２３，２４，２５  表示媒体
３０  電圧印加部
４０  制御部
１００  表示装置
１０２Ａ，１０２Ｂ，１０２Ｃ  画素電極
１１０  共通電極
１１１  共通電極
１１１Ａ，１１１Ｂ，１１１Ｃ  共通電極の電極部
１１３  導線（電極線）
【図１】
0005573182.tif 000002
【図２】
0005573182.tif 000003
【図３】
0005573182.tif 000004
【図４】
0005573182.tif 000005
【図５】
0005573182.tif 000006
【図６】
0005573182.tif 000007
【図７】
0005573182.tif 000008
【図８】
0005573182.tif 000009
【図９】
0005573182.tif 000010
【図１０】
0005573182.tif 000011
【図１１】
0005573182.tif 000012
【図１２】
0005573182.tif 000013
【図１３】
0005573182.tif 000014
【図１４】
0005573182.tif 000015
【図１５】
0005573182.tif 000016